(57)【要約】【課題】  地震発生時等に引張力と圧縮力とが衝撃的に掛かっても絶対に外れることがない角形鋼用吊り金具を提供する。【解決手段】  断面四角形形状の角形鋼Ｙに対して直交する方向からその上下面および一側面に接するように嵌め合わされる断面コ字状の嵌挿部１１と該嵌挿部１１の上下両端部から一体に延設され且つ天井下地Ｚを吊り下げる吊りボルト３の上端部が取り付けられる上下一対のボルト支持部１２，１２とを備えた吊り金具本体Ｘ1と、該金具本体Ｘ1における上下一対のボルト支持部１２，１２間にあって前記吊りボルト３を外側から覆うようにして前記角形鋼Ｙの側面に取り付けられる補強板Ｘ2とによって角形鋼用吊り金具を構成して、角形鋼Ｙに対して直交する方向から嵌挿部１１を嵌め合わせるだけで吊り金具本体Ｘ1をセットすることができるとともに、補強板Ｘ2の存在により吊りボルト３の取付状態が強固になるようにしている。【選択図】        図１
2013245465.tif 000002
【特許請求の範囲】
【請求項１】
断面四角形形状の角形鋼に対して直交する方向からその上下面および一側面に接するように嵌め合わされる断面コ字状の嵌挿部と該嵌挿部の上下両端部から一体に延設され且つ天井下地を吊り下げる吊りボルトの上端部が取り付けられる上下一対のボルト支持部とを備えた吊り金具本体と、該金具本体における上下一対のボルト支持部間にあって前記吊りボルトを外側から覆うようにして前記角形鋼の側面に取り付けられる補強板とによって構成されたことを特徴とする角形鋼用吊り金具。
【請求項２】
前記補強板の上下両端部には、前記嵌挿部の両側において前記角形鋼の上下両面に取り付けられる剛性強化片を一体に延設したことを特徴とする請求項１記載の角形鋼用吊り金具。
【請求項３】
前記吊りボルトの上端部には、前記天井下地に下端部を取り付けられた斜め補強部材の上端部を取り付けたことを特徴とする請求項１および２のいずれか一鋼記載の角形鋼用吊り金具。
【発明の詳細な説明】
【技術分野】
【０００１】
本願発明は、角形鋼用吊り金具に関し、さらに詳しくは天井下地等を吊り下げるために用いられる角形鋼用吊り金具に関するものである。
【背景技術】
【０００２】
天井下地等を吊り下げるために用いられる吊り具としては、Ｃ形鋼のリップ部に引っかけて使用されるものが従来から多用されてきている。この吊金具の下端には、吊りボルトを取り付けるための支持部が形成されている。この場合、Ｃ形鋼がリップ部を有しているので、吊り金具の上端に形成された鉤状の係止部をリップ部に引っかけるだけでよく、しかも、吊りボルトを下げる位置を作用方向に自由に調節できるという利点もある。
【０００３】
ところで、近年、Ｃ形鋼に代えて角形鋼（例えば、コーナ部で両端をかしめた角形鋼）が多用されるようになってきている。この角形鋼は、Ｃ形鋼に比べて捩れに対して強く、閉鎖断面なので強度が飛躍的に高まるし、軽量化や精度（例えば、平坦度）、コスト面でも有利となる。ところが、角形鋼の場合、吊り金具を引っかける部分がないので、Ｃ形鋼用のものをそのまま使用することは不可能である。
【０００４】
この種の吊り金具としては、角形鋼を抱持する抱持部をそれぞれ有する一対のハンガーにより構成されるものも既に提案されている（例えば、特許文献１参照）。
【０００５】
また、構造が簡単で、組みつけ作業性にも優れた角形鋼用吊り金具として、断面四角形形状の角形鋼に対して直交する方向から嵌め合わせられる断面コ字状の嵌挿部と該嵌挿部の一端に一体に屈曲形成され且つ吊りボルトが取り付けられる支持部とによって構成したものが提案されている（例えば、特許文献２参照）。
【先行技術文献】
【特許文献】
【０００６】
【特許文献１】特開２００１−２００６０９号公報
【特許文献２】特開２０１０−１８９９５８号公報
【発明の概要】
【発明が解決しようとする課題】
【０００７】
ところが、上記特許文献１に開示されているハンガー装置の場合、抱持部をそれぞれ有する一対のハンガーにより構成されるところから、部品点数が多くなるとともに、組みつけ作業が複雑化し、コスト面でも不利となるという不具合がある。
【０００８】
また、上記特許文献２に開示されている角形鋼用吊金具の場合、近年耐振性を向上させる目的から、吊りボルトの上端部と吊りボルトにより吊り下げられている天井下地との間に斜め補強部材を介設する試みがなされているが、このような構造とすると、地震発生時に斜め補強部材に沿って引張力と圧縮力とが掛かり、吊り金具が角形鋼から外れてしまうおそれがあり、使用に耐えないという問題が発生するおそれがある。
【０００９】
本願発明は、上記の点に鑑みてなされたもので、地震発生時等に引張力と圧縮力とが衝撃的に掛かっても絶対に外れることがない角形鋼用吊り金具を提供することを目的としている。
【課題を解決するための手段】
【００１０】
本願発明では、上記課題を解決するための第１の手段として、断面四角形形状の角形鋼に対して直交する方向からその上下面および一側面に接するように嵌め合わされる断面コ字状の嵌挿部と該嵌挿部の上下両端部から一体に延設され且つ天井下地を吊り下げる吊りボルトの上端部が取り付けられる上下一対のボルト支持部とを備えた吊り金具本体と、該金具本体における上下一対のボルト支持部間にあって前記吊りボルトを外側から覆うようにして前記角形鋼の側面に取り付けられる補強板とによって角形鋼用吊り金具を構成している。
【００１１】
上記のように構成したことにより、断面四角形形状の角形鋼に対して直交する方向から嵌挿部を嵌め合わせるだけで吊り金具本体をセットすることができるとともに、補強板の存在により吊りボルトの取付状態が強固になるところから、地震発生時等に引張力と圧縮力とが衝撃的に掛かっても絶対に外れることがなくなる。
【００１２】
本願発明では、さらに、上記課題を解決するための第２の手段として、上記第１の手段を備えた角形鋼用吊り金具において、前記補強板の上下両端部に、前記嵌挿部の両側において前記角形鋼の上下両面に取り付けられる剛性強化片を一体に延設することもでき、そのように構成した場合、吊りボルトと角形鋼との結合構造がより一層強化されることとなり、上下および左右方向からの振動にも耐えられる耐震構造が得られる。
【００１３】
本願発明では、さらに、上記課題を解決するための第３の手段として、上記第１又は第２の手段を備えた角形鋼用吊り金具において、前記吊りボルトの上端部に、天井下地に下端部を取り付けられた斜め補強部材の上端部を取り付けることもでき、そのように構成した場合、天井下地における耐震性が大幅に向上することとなる。
【発明の効果】
【００１４】
本願発明の第１の手段によれば、断面四角形形状の角形鋼に対して直交する方向からその上下面および一側面に接するように嵌め合わされる断面コ字状の嵌挿部と該嵌挿部の上下両端部から一体に延設され且つ天井下地を吊り下げる吊りボルトの上端部が取り付けられる上下一対のボルト支持部とを備えた吊り金具本体と、該金具本体における上下一対のボルト支持部間にあって前記吊りボルトを外側から覆うようにして前記角形鋼の側面に取り付けられる補強板とによって角形鋼用吊り金具を構成しているので、断面四角形形状の角形鋼に対して直交する方向から嵌挿部を嵌め合わせるだけで吊り金具本体をセットすることができるとともに、補強板の存在により吊りボルトの取付状態が強固になるところから、地震発生時等に引張力と圧縮力とが衝撃的に掛かっても絶対に外れることがなくなるという効果がある。
【００１５】
本願発明の第２の手段におけるように、上記第１の手段を備えた角形鋼用吊り金具において、前記補強板の上下両端部に、前記嵌挿部の両側において前記角形鋼の上下両面に取り付けられる剛性強化片を一体に延設することもでき、そのように構成した場合、吊りボルトと角形鋼との結合構造がより一層強化されることとなり、上下および左右方向からの振動にも耐えられる耐震構造が得られる。
【００１６】
本願発明では、さらに、上記課題を解決するための第３の手段として、上記第１又は第２の手段を備えた角形鋼用吊り金具において、前記吊りボルトの上端部に、天井下地に下端部を取り付けられた斜め補強部材の上端部を取り付けることもでき、そのように構成した場合、天井下地における耐震性が大幅に向上することとなる。
【図面の簡単な説明】
【００１７】
【図１】本願発明の第１の実施の形態にかかる角形鋼用吊り金具の組付状態を示す斜視図である。
【図２】本願発明の第１の実施の形態にかかる角形鋼用吊り金具を示す斜視図であり、（イ）は吊り金具本体を示し、（ロ）は補強板を示している。
【図３】本願発明の第１の実施の形態にかかる角形鋼用吊金具の使用例である天井下地を示す斜視図である。
【図４】本願発明の第２の実施の形態にかかる角形鋼用吊り金具の組付状態を示す斜視図である。
【図５】本願発明の第２の実施の形態にかかる角形鋼用吊り金具における補強板を示す斜視図である。
【図６】本願発明の第２の実施の形態にかかる角形鋼用吊り金具における補強板の変形例を示す斜視図である。
【発明を実施するための形態】
【００１８】
以下、添付の図面を参照して、本願発明の幾つかの実施の形態について説明する。
【００１９】
第１の実施の形態
図１〜図３には、本願発明の第１の実施の形態にかかる角形鋼用吊り金具が示されている。
【００２０】
この角形鋼用吊り金具Ｘは、断面四角形形状の角形鋼Ｙに対して直交する方向から嵌め合わせられる断面コ字状の嵌挿部１１と該嵌挿部１１の上下両端部から水平に一体に延設され且つ天井下地Ｚ（図３参照）を吊り下げる吊りボルト３の上端部が取り付けられる上下一対のボルト支持部１２，１２とを備えた吊り金具本体Ｘ1と、該金具本体Ｘ1における上下一対のボルト支持部１２，１２間にあって前記吊りボルト３を外側から覆うようにして前記角形鋼Ｙの側面に取り付けられる補強板Ｘ2とによって構成されている。前記吊り金具本体Ｘ1は、前記嵌挿部１１を連結している背面部１３を前記角形鋼Ｙにおける反吊りボルト側側面にビス止めすることにより取り付けられている。符号１４は嵌挿部１１の背面部１３および補強板Ｘ2に形成されたビス穴、１５は補強板Ｘ2を角形鋼Ｙに固定するためのビス、１６は吊りボルト３をボルト支持部１２に取り付けるためのナット、１２ａは吊りボルト３の上端部を挿通する挿通穴である。
【００２１】
前記天井下地Ｚは、図３に示すように、所定間隔で平行に並ぶ多数の中空な金属製角形筒１，１・・と該金属製角形筒１，１・・の下側において該金属製角形筒１，１・・に直交して所定間隔で平行に並ぶ多数の中空な金属製角形筒からなる金属製部材２，２・・とからなり、前記金属製角形筒１，１・・のうちの選ばれたものを吊りボルト３，３・・を用いて建物の構造物から吊り下げるように構成されている。前記吊りボルト３の下端部は、前記金属製角形筒１，１・・のうちの選ばれたものに対して所定の支持金具を介して取り付けられている。そして、本実施の形態においては、前記金属製角形筒１，１・・のうちの選ばれたものと前記吊りボルト３，３・・のうちの選ばれたものの上端部とは、チャンネル形状の斜め補強部材２０で連結されている。また、この斜め補強部材２０の下端部は、金属製角形筒１，１・・のうちの選ばれたものに対して下部固定金具２１を介して取り付けられている。符号４は前記金属製角形筒１，１・・の端部を支持する断面コ字状の支持部材、５は前記金属製部材２，２・・の下面に取り付けられた天井板、６は前記金属製角形筒１，１・・に直交するチャンネルである。
【００２２】
前記斜め補強部材２０の上端部と前記吊りボルト３の上端部とは、図１に示すように、前記斜め補強部材２０の上端部に対してビス２２ａ．２２ａを用いて取り付けられた板状の取付手段２２Ａと前記吊りボルト３の上端部において該吊りボルト３を挟持するようにボルト２２ｂ，２２ｂを用いて固定された２枚の板状部材２２ｃ，２２ｃとからなる結合手段２２Ｂとによって構成された上部固定金具２２を介して結合されている。そして、前記結合手段２２Ｂを構成する板状部材２２ｃ，２２ｃの一端側には、前記取付手段２２Ａが前記ボルト２２ｂ，２２ｂの一つを用いて挟持固定されることとなっている。符号２２ｄはボルト２２ｂの他端側に螺着されるナットである。
【００２３】
前記角形鋼用吊り金具Ｘを構成する補強板Ｘ2の中央部には、前記吊りボルト３の上端部を嵌合させるための凹溝１７が形成されている。このようにすると、補強板Ｘ2と吊りボルト３の密着性を確保することができ、より一層結合強度が向上する。
【００２４】
上記のように構成したことにより、断面四角形形状の角形鋼Ｙに対して直交する方向から嵌挿部１を嵌め合わせるだけで吊金具Ｘをセットすることができるとともに、補強板Ｘ2の存在により吊りボルト３の取付状態が強固になるところから、地震発生時等に引張力と圧縮力とが衝撃的に掛かっても絶対に外れることがなくなる。しかも、吊りボルト３の上端部に、天井下地Ｚに下端部を取り付けられた斜め補強部材２０の上端部を取り付けることもできるので、天井下地Ｚにおける耐震性が大幅に向上することとなる。この吊り金具Ｘは、図３に示すように、工場の電気又は設備のメンテナンスのために人が上に乗って尚且つ天井下地を吊り下げた荷重が持てるように考案された「ぶどう棚」と呼ばれる下地組に好適に使用される。
【００２５】
第２の実施の形態
図４〜図６には、本願発明の第２の実施の形態にかかる角形鋼用吊り金具が示されている。
【００２６】
この場合、角形鋼用吊り金具Ｘにおける補強板Ｘ2の上下両端部には、前記嵌挿部１１の両側において前記角形鋼Ｙの上下両面に取り付けられる剛性強化片１８，１８および１９，１９が直角に屈曲して一体に延設されている。前記剛性強化片１８，１８および１９，１９は、角形鋼Ｙに対してビス１５を用いて固定される。このようにすると、吊りボルト３と角形鋼Ｙとの結合構造がより一層強化されることとなり、上下および左右方向からの振動にも耐えられる耐震構造が得られる。符号１８ａおよび１９ａは剛性強化片１８および１９に形成されたビス穴である。
【００２７】
図６には、前記補強板Ｘ2の変形例が示されており、この場合、剛性強化片１８，１８および１９，１９は角形鋼Ｙに対して固定されていない。このように構成しても、吊りボルト３と角形鋼Ｙとの結合構造は第２の実施の形態におけると同様な強度が期待できる。その他の構成および作用効果は、第１の実施の形態におけると同様なので説明を省略する。
【００２８】
本願発明は、上記各実施の形態に限定されるものではなく、発明の要旨を逸脱しない範囲において適宜設計変更可能なことは勿論である。
【符号の説明】
【００２９】
３は吊りボルト
１１は嵌挿部
１１ａは一端
１２は支持部
１８，１９は剛性強化片
Ｘは吊り金具
Ｘ1は吊り金具本体
Ｘ2は補強板
Ｙは角形鋼
Ｚは天井下地
【図１】
2013245465.tif 000003
【図２】
2013245465.tif 000004
【図３】
2013245465.tif 000005
【図４】
2013245465.tif 000006
【図５】
2013245465.tif 000007
【図６】
2013245465.tif 000008